(57)【要約】【課題】管理装置が複数の記録媒体の交換時期を容易に管理することができるデータ記録装置を提供する。【解決手段】車載装置１０は、１時間が経過すると、メモリカード２５に記録された書き込み回数を読み出し（Ｓ２）、この書き込み回数と、ＳＤＲＡＭ１３に記憶された前回の書き込み回数とから、残り書き込み回数および１時間当たり書き込み回数を算出する（Ｓ３）。車載装置１０は、残り書き込み回数が１００回以下である場合、事務所７０に設置された車両管理装置３０に、これらのデータを送信する（Ｓ５）。車両管理装置３０は、残り書き込み回数と１時間当たりの書き込み回数とから、書き込み制限回数に到達するまでの到達予定時間を算出する（Ｓ３２）。車両管理装置３０は、到達予定時間が設定時間以下である場合、記録媒体寿命監視テーブル５５を更新し、警告を行う（Ｓ３４）。【選択図】図３
2013140483.tif 000002
【特許請求の範囲】
【請求項１】
記録媒体にデータを書き込むデータ記録装置であって、
前記記録媒体への書き込み回数を計数する計数部と、
前記計数部で計数された書き込み回数の時間変化を算出する算出部と、
前記算出部で算出された時間変化をもとに、前記書き込み回数が前記記録媒体への書き込みを制限する書き込み制限回数に到達するまでの到達予定時間を算出する予測部と、
を備えることを特徴とするデータ記録装置。
【請求項２】
前記予測部で算出された到達予定時間を管理装置に送信する送信部を備える
ことを特徴とする請求項１記載のデータ記録装置。
【請求項３】
前記予測部で算出された到達予定時間が設定時間以下である場合、前記送信部は、前記到達予定時間を前記管理装置に送信する
ことを特徴とする請求項２記載のデータ記録装置。
【請求項４】
前記予測部で算出された到達予定時間が設定時間以下である場合、前記記録媒体の交換を促す警告を行う報知部を備える
ことを特徴とする請求項１または２記載のデータ記録装置。
【請求項５】
車両に搭載された車載装置であり、前記車両の運行データを前記記録媒体に記録する
ことを特徴とする請求項１から４のいずれか一項に記載のデータ記録装置。
【請求項６】
記録媒体にデータを書き込むデータ記録装置であって、
前記記録媒体への書き込み回数を計数する計数部と、
前記計数部で計数された書き込み回数の時間変化を算出する算出部と、
前記算出部で算出された時間変化、および前記書き込み回数が前記記録媒体への書き込みを制限する書き込み制限回数に到達するまでの残り書き込み回数を管理装置に送信する送信部と、
を備えることを特徴とするデータ記録装置。
【請求項７】
前記残り書き込み回数が設定回数以下である場合、前記送信部は、前記時間変化および前記残り書き込み回数を前記管理装置に送信する
ことを特徴とする請求項６記載のデータ記録装置。
【請求項８】
記録媒体にデータを書き込む少なくとも１つのデータ記録装置と、前記記録媒体を管理する管理装置とを備えた記録媒体寿命監視システムであって、
前記データ記録装置は、
前記記録媒体への書き込み回数を計数する計数部と、
前記計数部で計数された書き込み回数の時間変化を算出する算出部と、
前記算出部で算出された時間変化をもとに、前記書き込み回数が前記記録媒体への書き込みを制限する書き込み制限回数に到達するまでの到達予定時間を算出する予測部と、
前記予測部で算出された到達予定時間を前記管理装置に送信する送信部と、
を備え、
前記管理装置は、
前記到達予定時間を受信する受信部と、
前記受信部で受信した到達予定時間を登録する登録部と、
前記到達予定時間が設定時間以下である場合、前記記録媒体の交換を促す警告を行う報知部と、
を備えることを特徴とする記録媒体寿命監視システム。
【請求項９】
記録媒体にデータを書き込む少なくとも１つのデータ記録装置と、前記記録媒体を管理する管理装置とを備えた記録媒体寿命監視システムであって、
前記データ記録装置は、
前記記録媒体への書き込み回数を計数する計数部と、
前記計数部で計数された書き込み回数の時間変化を算出する算出部と、
前記算出部で算出された時間変化、および前記書き込み回数が前記記録媒体への書き込みを制限する書き込み制限回数に達するまでの残り書き込み回数を管理装置に送信する送信部と、
を備え、
前記管理装置は、
前記算出部で算出された時間変化および前記残り書き込み回数を受信する受信部と、
前記時間変化および前記残り書き込み回数をもとに、前記書き込み回数が前記書き込み制限回数に到達するまでの到達予定時間を算出する予測部と、
前記予測部で算出された到達予定時間を登録する登録部と、
前記到達予定時間が設定時間以下である場合、前記記録媒体の交換を促す警告を行う報知部と、
を備えることを特徴とする記録媒体寿命監視システム。
【発明の詳細な説明】
【技術分野】
【０００１】
本発明は、記録媒体にデータを書き込むデータ記録装置及び記録媒体寿命監視システムに関する。
【背景技術】
【０００２】
従来、データ記録装置として、ドライブレコーダ等の車載装置は、カメラで撮影された画像など、容量の大きいデータを記録媒体に記録する。通常、記録媒体には、確実な書き込みが保障されるように、書き込み制限回数が設定されている。
【０００３】
記録媒体の使用に際し、この書き込み制限回数に達してデータが壊れる前に、記録媒体を交換する必要がある。一方、書き込み制限回数まで無駄なく使用することも求められる。
【０００４】
従来、記録媒体が書き込み制限回数に達した場合、書き込み寿命であることを報知する装置が知られている。図８は従来の装置の動作手順を示すフローチャートである。この装置は、記録媒体が書き込み寿命であるか否かを判別する（ステップＳ１０１）。書き込み寿命でない場合、この装置はそのまま本動作を終了する。一方、書き込み寿命である場合、この装置は、音声による警告や表示を行い（ステップＳ１０２）、本動作を終了する。
【０００５】
また、記録媒体の使用累積回数が許容使用回数を越えたと検出されるか、または使用累積期間が許容使用時間を越えたと検出された場合、ハードディスクの交換を促す表示を行う装置も知られている（特許文献１参照）。
【先行技術文献】
【特許文献】
【０００６】
【特許文献１】特開２００３−０８５９６０号公報
【発明の概要】
【発明が解決しようとする課題】
【０００７】
しかしながら、上記従来のデータ記録装置には、つぎのような問題があった。すなわち、従来のデータ記録装置は、書き込み寿命時に単に表示や音声による警告を行うだけであった。このため、書き込み寿命に達するまでにどのくらいの時間が残っているのか分からず、記録媒体を無駄なく使用することが難しかった。
【０００８】
また、複数の車両を保有している会社等では、どの車両に搭載された記録媒体が書き込み寿命に達しているのか分からず、管理が困難であった。また、お客様を乗せるような車両の場合、営業中に音声による警告や表示を行うことは難しかった。
【０００９】
本発明は、上述した事情に鑑みてなされたものであり、その目的は、記録媒体を交換時期まで無駄なく使用することが可能となるデータ記録装置及び記録媒体寿命監視システムを提供することにある。
【００１０】
また、本発明は、管理装置が複数の記録媒体の交換時期を容易に管理することができるデータ記録装置及び記録媒体寿命監視システムを提供することを他の目的とする。
【課題を解決するための手段】
【００１１】
前述した目的を達成するために、本発明に係るデータ記録装置は、下記（１）〜（７）を特徴としている。
（１）  記録媒体にデータを書き込むデータ記録装置であって、
前記記録媒体への書き込み回数を計数する計数部と、
前記計数部で計数された書き込み回数の時間変化を算出する算出部と、
前記算出部で算出された時間変化をもとに、前記書き込み回数が前記記録媒体への書き込みを制限する書き込み制限回数に到達するまでの到達予定時間を算出する予測部と、
を備えること。
（２）  上記（１）の構成のデータ記録装置であって、
前記予測部で算出された到達予定時間を管理装置に送信する送信部を備える
こと。
（３）  上記（２）の構成のデータ記録装置であって、
前記予測部で算出された到達予定時間が設定時間以下である場合、前記送信部は、前記到達予定時間を前記管理装置に送信する
こと。
（４）  上記（１）または（２）の構成のデータ記録装置であって、
前記予測部で算出された到達予定時間が設定時間以下である場合、前記記録媒体の交換を促す警告を行う報知部を備える
こと。
（５）  上記（１）から（４）のいずれか一つの構成のデータ記録装置であって、
車両に搭載された車載装置であり、前記車両の運行データを前記記録媒体に記録する
こと。
（６）  記録媒体にデータを書き込むデータ記録装置であって、
前記記録媒体への書き込み回数を計数する計数部と、
前記計数部で計数された書き込み回数の時間変化を算出する算出部と、
前記算出部で算出された時間変化、および前記書き込み回数が前記記録媒体への書き込みを制限する書き込み制限回数に到達するまでの残り書き込み回数を管理装置に送信する送信部と、
を備えることを特徴とするデータ記録装置。
（７）  上記（６）の構成のデータ記録装置であって、
前記残り書き込み回数が設定回数以下である場合、前記送信部は、前記時間変化および前記残り書き込み回数を前記管理装置に送信する
こと。
【００１２】
前述した目的を達成するために、本発明に係る記録媒体寿命監視システムは、下記（８）または（９）を特徴としている。
（８）  記録媒体にデータを書き込む少なくとも１つのデータ記録装置と、前記記録媒体を管理する管理装置とを備えた記録媒体寿命監視システムであって、
前記データ記録装置は、
前記記録媒体への書き込み回数を計数する計数部と、
前記計数部で計数された書き込み回数の時間変化を算出する算出部と、
前記算出部で算出された時間変化をもとに、前記書き込み回数が前記記録媒体への書き込みを制限する書き込み制限回数に到達するまでの到達予定時間を算出する予測部と、
前記予測部で算出された到達予定時間を前記管理装置に送信する送信部と、
を備え、
前記管理装置は、
前記到達予定時間を受信する受信部と、
前記受信部で受信した到達予定時間を登録する登録部と、
前記到達予定時間が設定時間以下である場合、前記記録媒体の交換を促す警告を行う報知部と、
を備えること。
（９）  記録媒体にデータを書き込む少なくとも１つのデータ記録装置と、前記記録媒体を管理する管理装置とを備えた記録媒体寿命監視システムであって、
前記データ記録装置は、
前記記録媒体への書き込み回数を計数する計数部と、
前記計数部で計数された書き込み回数の時間変化を算出する算出部と、
前記算出部で算出された時間変化、および前記書き込み回数が前記記録媒体への書き込みを制限する書き込み制限回数に達するまでの残り書き込み回数を管理装置に送信する送信部と、
を備え、
前記管理装置は、
前記算出部で算出された時間変化および前記残り書き込み回数を受信する受信部と、
前記時間変化および前記残り書き込み回数をもとに、前記書き込み回数が前記書き込み制限回数に到達するまでの到達予定時間を算出する予測部と、
前記予測部で算出された到達予定時間を登録する登録部と、
前記到達予定時間が設定時間以下である場合、前記記録媒体の交換を促す警告を行う報知部と、
を備えること。
【００１３】
上記（１）から（７）の構成のデータ記録装置、及び上記（８）または（９）の構成の記録媒体寿命監視システムによれば、書き込み回数の時間変化をもとに、書き込み回数が書き込み制限回数に到達するまでの到達予定時間を算出するので、記録媒体を交換時期まで無駄なく使用することが可能となる。また、管理装置が複数の記録媒体の交換時期を容易に管理することができる。
【発明の効果】
【００１４】
本発明によれば、書き込み回数の時間変化をもとに、書き込み回数が書き込み制限回数に到達するまでの到達予定時間を算出するので、記録媒体を交換時期まで無駄なく使用することが可能となる。
また、管理装置が複数の記録媒体の交換時期を容易に管理することができる。
【図面の簡単な説明】
【００１５】
【図１】図１は、第１の実施形態における車載装置１０を含む記録媒体寿命監視システム１の構成を示す図である。
【図２】図２は、記録媒体寿命監視システム１の概要を示す図である。
【図３】図３は、車載装置１０の動作手順を示すフローチャートである。
【図４】図４は、車両管理装置３０の動作手順を示すフローチャートである。
【図５】図５は、車両ごとの記録媒体の寿命監視結果が登録された記録媒体寿命監視テーブル５５を示す図である。
【図６】図６は、第２の実施形態における車載装置１０の動作手順を示すフローチャートである。
【図７】図７は、第３の実施形態おける車載装置１０の動作手順を示すフローチャートである。
【図８】図８は、従来の装置の動作手順を示すフローチャートである。
【発明を実施するための形態】
【００１６】
本発明の実施形態におけるデータ記録装置及び記録媒体寿命監視システムについて図面を用いて説明する。本実施形態のデータ記録装置は、バスやタクシー等の車両に搭載されたドライブレコーダ等の車載装置に適用される。また、本実施形態の記録媒体寿命監視システムは、データ記録装置、および事務所に設置された車両管理装置から構成される。
【００１７】
（第１の実施形態）
図１は第１の実施形態における車載装置１０を含む記録媒体寿命監視システム１の構成を示す図である。図２は記録媒体寿命監視システム１の概要を示す図である。
【００１８】
この記録媒体寿命監視システム１は、複数台の車両４０にそれぞれ搭載された複数の車載装置１０と、事務所７０に設置された車両管理装置３０とから構成される。ここでは、複数台の車両４０として、４台の車両Ａ、Ｂ、Ｃ、Ｄが車両管理装置３０と無線ＬＡＮ６０等による無線で接続されている。
【００１９】
車載装置１０は、ＣＰＵ１１、リーダライタ１２、ＳＤＲＡＭ１３、無線モジュール１４、タイマ２４、および各種インタフェース（Ｉ／Ｆ）１５、１６、１７、１８を有する。ＣＰＵ１１は、内蔵するＲＯＭ（図示せず）に格納された制御プログラムを実行し、車載装置１０全体を制御する。
【００２０】
リーダライタ１２は、着脱自在に装着されるメモリカード２５に対し、運行データ等のデータの読み書きを行う。メモリカード２５には、ＣＦカードやＳＤカード（登録商標）が用いられる。メモリカード２５に対し、データの書き込みが行われると、リーダライタ１２（計数部）は、メモリカード２５の所定の領域に割り当てられた書き込み回数を値１増加させる。なお、リーダライタ１２が書き込み回数を記憶する代わりに、メモリカード２５への書き込みがあった時、ＣＰＵ１１がＳＤＲＡＭ１３の所定の領域に割り当てられた書き込み回数を増加させるようにしてもよい。
【００２１】
ＳＤＲＡＭ１３には、１時間ごとに確認されるメモリカード２５への書き込み回数が時系列に記憶される他、ＣＰＵ１１のワークメモリとして使用される。無線モジュール１４は、車両管理装置３０と無線ＬＡＮ６０等で接続され、データの送受信を行う。タイマ２４は時刻を計時する。
【００２２】
カメラＩ／Ｆ１５には、車両４０に設置され、車両前方を撮影するカメラ１９が接続されている。センサＩ／Ｆ１６には、車両の加速度を検出するＧセンサ２０が接続されている。速度Ｉ／Ｆ１７には、車速を検出する速度センサ２１が接続されている。Ｉ／Ｏインタフェース１８には、警告を発するスピーカ２２および点灯する表示ランプ２３が接続されている。
【００２３】
一方、車両管理装置３０は、ＣＰＵ３１、ディスプレイ３２、データベース（ＤＢ）３３、無線モジュール３４、操作部３５およびスピーカ３６を有する。ＣＰＵ３１は、内蔵するＲＯＭに格納された制御プログラムに従って、車両管理装置３０全体を制御するとともに、後述する動作プログラムを実行する。
【００２４】
ディスプレイ３２は各種の情報を表示する。データベース３３には、後述する記録媒体寿命監視テーブル５５が登録されている。無線モジュール３４は、車載装置１０と無線ＬＡＮ６０等で接続され、データの送受信を行う。操作部３５は、キーボードやマウス等のポインティングデバイスを有し、管理者によって操作された指示を受け付ける。スピーカ３６は、警告等の音声を発する。
【００２５】
上記構成を有する記録媒体寿命監視システム１の動作を示す。図３は車載装置１０の動作手順を示すフローチャートである。この動作プログラムは、前述したように、ＣＰＵ１１内のＲＯＭに格納されており、ＣＰＵ１１によって実行される。車載装置１０は、まず、所定時間（本実施形態では、１時間）が経過するまで待つ（ステップＳ１）。１時間が経過すると、車載装置１０は、メモリカード２５（記録媒体）に記録された書き込み回数を読み出す（ステップＳ２）。
【００２６】
車載装置１０は、読み出した書き込み回数と、ＳＤＲＡＭ１３に記憶された前回（１時間前）の書き込み回数とから、残り書き込み回数および単位時間（ここでは１時間）当たり書き込み回数を算出する（ステップＳ３）。ここで、１時間当たりの書き込み回数は、ＳＤＲＡＭ１３に時系列に記憶された書き込み回数の平均値として算出される。なお、書き込み回数の時間変化は、平均値に限らず、過去の所定時間当たりの書き込み回数の代表値や、種々の重み付けを施した値であってもよい。ステップＳ３の処理は算出部に相当する。
【００２７】
車載装置１０は、メモリカード２５への残り書き込み回数が設定回数（本実施形態では、１００回）以下であるか否かを判別する（ステップＳ４）。設定回数以下でない場合、車載装置１０は、本動作を終了する。ここで、設定回数は、ステップＳ１における次の所定時間が経過する前に書き込み制限回数に達しないような任意の値に設定される。また、ステップＳ１における所定時間は、５時間、２４時間等、任意の値に設定可能である。
【００２８】
一方、ステップＳ４で設定回数以下である場合、車載装置１０は、事務所７０に設置された車両管理装置３０に、残り書き込み回数と１時間当たりの書き込み回数を送信する（ステップＳ５）。このように、設定回数以下である場合に限って送信することで、通信および処理の負荷を軽減することができる。この後、車載装置１０は本動作を終了する。
【００２９】
図４は車両管理装置３０の動作手順を示すフローチャートである。この動作プログラムは、ＣＰＵ３１内のＲＯＭに格納されており、ＣＰＵ３１によって周期的に実行される。車両管理装置３０は、車載装置１０から、残り書き込み回数および１時間当たりの書き込み回数からなるデータを受信したか否かを判別する（ステップＳ３１）。
【００３０】
これらのデータを受信していない場合、車両管理装置３０は、本動作を終了する。一方、これらのデータを受信した場合、車両管理装置３０は、残り書き込み回数と１時間当たりの書き込み回数とから、書き込み制限回数に到達するまでの到達予定時間を算出する（ステップＳ３２）。なお、ステップＳ３１でデータを受信する処理は受信部に相当する。
【００３１】
車両管理装置３０は、到達予定時間があらかじめ設定された設定時間以下であるか否かを判別する（ステップＳ３３）。なお、この設定時間は、前述したステップＳ１の所定時間と同じ値であってもよいし、異なる値であってもよい。この到達予定時間が設定時間を超える場合、車両管理装置３０は、そのまま本動作を終了する。
【００３２】
一方、ステップＳ３３で到達予定時間が設定時間以下である場合、車両管理装置３０は、記録媒体寿命監視テーブル５５を更新するとともに、警告を行う（ステップＳ３４）。この警告としては、スピーカ３６から警告を発してもよいし、ディスプレイ３２に警告画面を表示してもよい。また、ステップＳ３４で記録媒体寿命監視テーブル５５を更新する処理は登録部に相当する。この後、車両管理装置３０は本動作を終了する。
【００３３】
図５は車両ごとの記録媒体の寿命監視結果が登録された記録媒体寿命監視テーブル５５を示す図である。この記録媒体寿命監視テーブル５５には、車両ごとに、残り書き込み回数および到達予定時間が示されている。例えば、車両Ａでは、残り書き込み回数が１００回であり、到達予定時間が５０時間後であることが表されている。なお、図中、空白「−」は、残り書き込み回数および到達予定時間のデータがまだ受信されていないことを表す。
【００３４】
このように、第１の実施形態の記録媒体寿命監視システム１によれば、車両４０に搭載されたメモリカード２５を交換時期まで無駄なく使用することが可能となる。
【００３５】
また、各車載装置１０が到達予定時間の算出に必要な残り書き込み回数と１時間当たりの書き込み回数を車両管理装置３０に送信するので、車両管理装置３０は、複数のメモリカード２５の交換時期を容易に管理することができる。すなわち、複数の車両４０（車両Ａ、Ｂ、Ｃ、Ｄ）にそれぞれ搭載されているメモリカード２５の交換時期を事務所７０（あるいはセンタ）で一括管理することができ、各車両４０ごとにメモリカード２５（記録媒体）の交換時期の目安が分かる。
【００３６】
従って、車両の数が多くても、書き込み制限回数に達する前に確実に交換することが可能となる。また、通常、車両ごとに書き込み回数の増え方は異なるので、各車両に適したタイミングでメモリカードを交換することができ、一度に全て交換する場合と比べ、無駄が少なくなる。
【００３７】
また、表示や音声による警告が報知されないので、お客様を乗せるような車両であっても活用することができる。さらには、メモリカードの交換に関し、運転手を煩わせないで済む。
【００３８】
（第２の実施形態）
前記第１の実施形態では、書き込み制限回数に達するまでの到達予定時間の算出は、事務所に設置された車両管理装置で行われた場合を示したが、第２の実施形態では、車載装置が到達予定時間を算出する場合を示す。
【００３９】
第２の実施形態の車載装置および車両管理装置は、前記第１の実施形態と同一の構成を有するので、前記第１の実施形態と同一の構成要素については同一の符号を用いることで、その説明を省略する。
【００４０】
図６は第２の実施形態における車載装置１０の動作手順を示すフローチャートである。この動作プログラムは、ＣＰＵ１１内のＲＯＭに格納されており、ＣＰＵ１１によって実行される。前記第１の実施形態と同一のステップ処理については、同一のステップ番号を付すことによりその説明を省略する。
【００４１】
車載装置１０は、ステップＳ２でメモリカード２５（記録媒体）に記録された書き込み回数を読み出した後、残り書き込み回数と１時間当たりの書き込み回数とから、書き込み制限回数に到達するまでの到達予定時間を算出する（ステップＳ３Ａ）。ステップＳ３Ａの処理は予測部に相当する。
【００４２】
車載装置１０は、到達予定時間が設定時間以下であるか否かを判別する（ステップＳ４Ａ）。設定時間以下でない場合、車載装置１０は本動作を終了する。
【００４３】
一方、ステップＳ４Ａで到達予定時間が設定時間以下である場合、車載装置１０は、到達予定時間および残り書き込み回数からなるデータを車両管理装置３０に送信する（ステップＳ５Ａ）。このように、到達予定時間が記録媒体の交換時期が近い値にあらかじめ設定された設定時間以下である場合に限って送信することで、通信および処理の負荷を軽減することができる。ステップＳ５Ａの処理は送信部に相当する。この後、車載装置１０は本動作を終了する。
【００４４】
一方、車両管理装置３０は、車載装置１０から上記データを受信すると、記録媒体寿命監視テーブル５５を更新するとともに、警告を行う。この警告としては、スピーカ３６から警告を発してもよいし、ディスプレイ３２に警告画面を表示してもよい。
【００４５】
このように、第２の実施形態の記録媒体寿命監視システム１によれば、各車載装置１０が到達予定時間を車両管理装置３０に送信するので、車両管理装置３０は、複数のメモリカード２５の交換時期を容易に管理することができる。また、各車載装置１０からそれぞれの到達予定時間が送信されるので、車両管理装置側の処理の負荷を軽減することができる。
【００４６】
なお、車載装置１０で行われるステップＳ４Ａの処理を、車両管理装置３０が行うようにしてもよい。この場合、ステップＳ３Ａで算出された到達予定時間と残り書き込み回数は必ず車両管理装置３０に送信されることになる。これにより、車両管理装置３０は、寿命に達するまでに十分な時間があると予測されるメモリカードについても、しっかりと管理することができる。
【００４７】
（第３の実施形態）
前記第１、第２の実施形態では、車両管理装置が警告を行う場合を示したが、第３の実施形態では、車載装置自体が警告を行う場合を示す。
【００４８】
第３の実施形態の車載装置は第１の実施形態と同一の構成を有するので、前記第１の実施形態と同一の構成要素については同一の符号を用いることで、その説明を省略する。
【００４９】
図７は第３の実施形態おける車載装置１０の動作手順を示すフローチャートである。この動作プログラムは、ＣＰＵ１１内のＲＯＭに格納されており、ＣＰＵ１１によって実行される。前記第１、第２の実施形態と同一のステップ処理については、同一のステップ番号を付すことによりその説明を省略する。
【００５０】
車載装置１０は、ステップＳ４Ａで到達予定時間が設定時間以下である場合、警告を行うとともに、ステップＳ３Ａで算出された到達予定時間と残り書き込み回数を車両管理装置３０に送信する（ステップＳ５Ｂ）。この警告としては、スピーカ２２により音声を発してもよいし、表示ランプ２３を点灯させてもよい。
【００５１】
なお、この警告は、お客様を乗せるような車両の場合、休憩開始時刻など、特定の時期にだけ行われるようにしてもよい。ステップＳ５Ｂにおいて警告を行うことは報知部に相当する。
【００５２】
一方、車両管理装置３０は、車載装置１０から上記データを受信すると、記録媒体寿命監視テーブル５５を更新する。
【００５３】
第３の実施形態における車載装置によれば、車両側で警告を行うとともに、事務所側で複数のメモリカードの寿命を管理することができる。これにより、運転手がメモリカードを交換し忘れても、事務所側の管理者が運転手に交換の指示を与えることができる。
【００５４】
なお、本発明は、上記実施形態の構成に限られるものではなく、本実施形態の構成が持つ機能を達成できる構成であればどのようなものであっても適用可能である。
【００５５】
例えば、上記実施形態では、車載装置として、ドライブレコーダに適用された場合を示したが、デジタルタコグラフ、タクシーメータ等に適用してもよい。
【００５６】
また、記録媒体に記録可能なリーダ／ライタは、車載装置の本体に内蔵されたものに限られず、外部に設置され、ケーブル等で本体と接続されたものでもよい。
【００５７】
また、記録媒体としては、半導体メモリを記憶素子とするメモリーカードに限らず、磁気記録媒体にデータを記録するハードディスクドライブ等であってもよい。
【００５８】
また、上記実施形態では、データ記録装置として、車載装置に適用された場合を示したが、本発明は、車載装置に限らず、種々の電子機器に適用可能である。
【００５９】
本発明は、データ記録装置が記録媒体にデータを書き込む際、管理装置が複数の記録媒体の交換時期を容易に管理することができ、有用である。
【符号の説明】
【００６０】
１  記録媒体寿命監視システム
１０  車載装置
１１  ＣＰＵ
１２  リーダライタ
１３  ＳＤＲＡＭ
１４  無線モジュール
１５、１６、１７、１８  インタフェース（Ｉ／Ｆ）
１９  カメラ
２０  Ｇセンサ
２１  速度センサ
２２、３６  スピーカ
２３  表示ランプ
２４  タイマ
２５  メモリカード
３０  車両管理装置
３１  ＣＰＵ
３２  ディスプレイ
３３  データベース（ＤＢ）
３４  無線モジュール
３５  操作部
４０  車両
５５  記録媒体寿命監視テーブル
６０  無線ＬＡＮ
７０  事務所
【図１】
2013140483.tif 000003
【図２】
2013140483.tif 000004
【図３】
2013140483.tif 000005
【図４】
2013140483.tif 000006
【図５】
2013140483.tif 000007
【図６】
2013140483.tif 000008
【図７】
2013140483.tif 000009
【図８】
2013140483.tif 000010